(57)【要約】  【課題】被災者に安否情報を確実に入力させ、正確な情報を収集することができる。【解決手段】位置情報収集サーバ１２は、災害の内容・発生地域の情報を含む災害情報を受信し（ステップＳ２１、Ｓ２２）、災害の発生地域の情報と、社員携帯端末情報テーブルの位置情報を比較し、携帯端末が被災地域内に位置しているか否かを各携帯端末毎に判定し、被災地域内に位置する全ての携帯端末を特定し、その情報が安否情報収集サーバ１３へ送信され（ステップＳ２３〜Ｓ２５）、安否情報収集サーバ１３は、被災地域内にある携帯電話へ安否確認アプリケーションの起動指示を配信する（ステップＳ２６、Ｓ２７）。携帯端末２１等は安否確認アプリケーションを起動し、安否確認アプリケーションにより安否情報入力画面以外への入力以外の機能を制限される（ステップＳ２８〜Ｓ３３）。これにより、安否情報の入力が確実となる。【選択図】  図８
2010213085.tif 000002
【特許請求の範囲】
【請求項１】
サーバと、前記サーバと公衆回線を介して接続された携帯端末とで構成された安否確認システムであって、
前記サーバは、
携帯端末に関する情報が記憶された第１の記憶手段と、
災害の被災地域の情報を含む災害情報を取得する災害情報取得手段と、
前記第１の記憶手段に記憶された携帯端末に関する情報に基づいて前記携帯端末の位置情報を取得する位置情報取得手段と、
前記災害情報取得手段により取得された被災地域の情報と、前記位置情報取得手段により取得された位置情報とに基づいて、前記携帯端末が前記被災地域内にあるか否かを特定する被災特定手段と、
前記被災特定手段により被災地域にあると特定された携帯端末に対して安否確認要求を送信する安否情報収集手段と、を備え、
前記携帯端末は、
表示手段と、
前記安否確認配信手段により配信された安否確認要求を受信する第１の受信手段と、
安否確認要求に基づいて安否確認画面を前記表示手段に表示させるためのアプリケーションが格納された第２の記憶手段と、
前記受信手段により安否確認要求が受信されると、前記アプリケーションを起動させて前記安否確認画面を前記表示手段に表示させる制御手段と、
前記表示手段に表示された安否確認画面への入力を受け付ける受付手段と、
前記受付手段により入力を受け付けると、前記受付手段により受け付けられた安否確認画面への入力結果である安否情報を前記サーバへ送信する第１の送信手段と、を備え、
前記アプリケーションは、前記受付手段により前記安否確認画面への入力が受け付けられるまで他の操作ができないように前記携帯機器の機能を制限することを特徴とする安否確認システム。
【請求項２】
前記安否情報収集手段は、前記第１の送信手段により送信された安否情報を受信し、
前記第１の記憶手段は、前記安否情報収集手段により安否情報が受信された場合には、当該安否情報と、前記携帯端末に関する情報とを関連付けて記憶し、前記安否情報収集手段により安否情報が受信されない場合には、前記安否確認要求への応答が無いことを示す情報と、前記携帯端末に関する情報とを関連付けて記憶することを特徴とする請求項１に記載の安否確認システム。
【請求項３】
前記サーバは、前記第１の記憶手段に記憶された携帯端末に関する情報と、当該携帯端末に関する情報に関連付けられた安否情報又は安否確認要求への応答が無いことを示す情報とを関連付けて出力する出力手段を備えたことを特徴とする請求項２に記載の安否確認システム。
【請求項４】
請求項２又は３に記載の安否確認システムを構成するサーバ。
【請求項５】
請求項１から３のいずれかに記載の安否確認システムを構成する携帯端末。
【発明の詳細な説明】
【技術分野】
【０００１】
本発明は安否確認システム、サーバ及び携帯端末に係り、特に携帯端末を利用した安否確認システム、サーバ及び携帯端末に関する。
【背景技術】
【０００２】
携帯端末を利用して安否を確認するシステムとして、以下のようなシステムが提案されている。
【０００３】
特許文献１には、携帯電話機の位置情報を収集し、安否確認が必要なエリアにいる携帯電話機へ安否確認通知を送信し、携帯電話機からの安否確認情報を受信するシステムが記載されている。
【０００４】
特許文献２には、携帯電話の位置情報と災害情報から安否確認対象者を抽出し、安否を連絡するようにとのメッセージとＨＰアドレスが記載された電子メールを安否対象者に対して自動送信するシステムが記載されている。
【先行技術文献】
【特許文献】
【０００５】
【特許文献１】特開２００５−２５８６３８号公報
【特許文献２】特開２００４−２５３９５１号公報
【発明の概要】
【発明が解決しようとする課題】
【０００６】
しかしながら、特許文献１，２に記載の発明においては、災害発生時にシステムが安否情報入力画面や電子メールを送信しても、被災者側が応答せずに安否情報入力画面や電子メールを閉じることができる。したがって、被災者側が安否情報入力画面や電子メールに応答しなかった場合に、本当に応答できない状態にあるのか、ただ応答していないのかが判別できず、正確な安否情報が収集できないという問題点がある。
【０００７】
本発明はこのような事情に鑑みてなされたもので、被災者に安否情報を確実に入力させ、正確な情報を収集することができる安否確認システム、サーバ及び携帯端末を提供することを目的とする。
【課題を解決するための手段】
【０００８】
請求項１に記載の安否確認システムは、サーバと、前記サーバと公衆回線を介して接続された携帯端末とで構成された安否確認システムであって、前記サーバは、携帯端末に関する情報が記憶された第１の記憶手段と、災害の被災地域の情報を含む災害情報を取得する災害情報取得手段と、前記第１の記憶手段に記憶された携帯端末に関する情報に基づいて前記携帯端末の位置情報を取得する位置情報取得手段と、前記災害情報取得手段により取得された被災地域の情報と、前記位置情報取得手段により取得された位置情報とに基づいて、前記携帯端末が前記被災地域内にあるか否かを特定する被災特定手段と、前記被災特定手段により被災地域にあると特定された携帯端末に対して安否確認要求を送信する安否情報収集手段と、を備え、前記携帯端末は、表示手段と、前記安否確認配信手段により配信された安否確認要求を受信する第１の受信手段と、安否確認要求に基づいて安否確認画面を前記表示手段に表示させるためのアプリケーションが格納された第２の記憶手段と、前記受信手段により安否確認要求が受信されると、前記アプリケーションを起動させて前記安否確認画面を前記表示手段に表示させる制御手段と、前記表示手段に表示された安否確認画面への入力を受け付ける受付手段と、前記受付手段により入力を受け付けると、前記受付手段により受け付けられた安否確認画面への入力結果である安否情報を前記サーバへ送信する第１の送信手段と、を備え、前記アプリケーションは、前記受付手段により前記安否確認画面への入力が受け付けられるまで他の操作ができないように前記携帯機器の機能を制限することを特徴とする。
【０００９】
請求項１に記載の安否確認システムによれば、被災特定手段により被災地域にあると特定された携帯端末に対してサーバから安否確認要求が送信されると、携帯端末は、安否確認要求に基づいてアプリケーションを起動させ、安否確認画面を表示手段に表示させるとともに、受付手段により安否確認画面への入力が受け付けられるまで他の操作ができないように携帯機器の機能を制限する。これにより、携帯端末からの安否情報の入力を確実にすることができる。したがって、携帯端末から何も入力がない場合は、携帯端末の所有者が危険な状態にあると推測可能となる。
【００１０】
請求項２に記載の安否確認システムは、請求項１に記載の安否確認システムにおいて、前記安否情報収集手段は、前記第１の送信手段により送信された安否情報を受信し、前記第１の記憶手段は、前記安否情報収集手段により安否情報が受信された場合には、当該安否情報と、前記携帯端末に関する情報とを関連付けて記憶し、前記安否情報収集手段により安否情報が受信されない場合には、前記安否確認要求への応答が無いことを示す情報と、前記携帯端末に関する情報とを関連付けて記憶することを特徴とする。
【００１１】
請求項２に記載の安否確認システムによれば、安否情報が受信された場合には、当該安否情報と、携帯端末に関する情報とを関連付けて記憶し、安否情報が受信されない場合には、安否確認要求への応答が無いことを示す情報と、携帯端末に関する情報とを関連付けて記憶する。これにより、ユーザ毎に安否情報を管理することができる。
【００１２】
請求項３に記載の安否確認システムは、請求項２に記載の安否確認システムにおいて、前記サーバは、前記第１の記憶手段に記憶された携帯端末に関する情報と、当該携帯端末に関する情報に関連付けられた安否情報又は安否確認要求への応答が無いことを示す情報とを関連付けて出力する出力手段を備えたことを特徴とする。
【００１３】
請求項３に記載の安否確認システムによれば、携帯端末に関する情報と、当該携帯端末に関する情報に関連付けられた安否情報又は安否確認要求への応答が無いことを示す情報とを関連付けて出力する。これにより、安否確認システムの契約者に、当該契約者の社員等の安否情報を提供することができる。
【００１４】
請求項４に記載のサーバは、請求項２又は３に記載の安否確認システムを構成する。
【００１５】
請求項５に記載の携帯端末は、請求項１から３のいずれかに記載の安否確認システムを構成する。
【発明の効果】
【００１６】
本発明によれば、被災者に安否情報を確実に入力させ、正確な情報を収集することができる。
【図面の簡単な説明】
【００１７】
【図１】本発明の第１の実施の形態の安否確認システム１の概略図である。
【図２】社員情報テーブルの一例である。
【図３】社員携帯端末情報テーブルの一例である。
【図４】被災社員情報テーブルの一例である。
【図５】社員安否情報テーブルの一例である。
【図６】携帯端末２１の概略図である。
【図７】安否確認システム１の災害非発生時の処理の流れを示すフローチャートである。
【図８】安否確認システム１の災害発生時の処理の流れを示すフローチャートである。
【図９】安否情報入力画面の一例であり、（ａ）は生存確認画面であり、（ｂ）はケガの有無を確認する画面であり、（ｃ）はメッセージ入力画面であり、（ｄ）は終了画面である。
【図１０】社員安否情報表示画面の一例である。
【発明を実施するための形態】
【００１８】
＜第１の実施の形態＞
図１は、第１の実施の形態に係る安否確認システム１の全体構造の概略図である。安否確認システム１は、主として、社員安否情報管理サーバ１１と、位置情報収集サーバ１２と、安否情報収集サーバ１３と、気象庁サーバ１４と、ネットワーク１５と、管理者（社員）端末１６と、携帯端末２１、２２、２３、２４、２５とで構成される。図１では、携帯端末を５台用いた例を示すが、携帯端末の数は５台に限られない。
【００１９】
社員安否情報管理サーバ１１は、安否情報収集サービスの提供を受けることを携帯キャリア（電気通信事業者）と契約した企業内に設けられ、携帯端末キャリアのネットワーク１５を介して位置情報収集サーバ１２、安否情報収集サーバ１３等と接続される。
【００２０】
社員安否情報管理サーバ１１の内部の記憶手段（図示せず）には、図２に示すように、各社員の携帯端末情報、携帯端末番号（シリアル番号等の携帯機器に固有の番号）、氏名
などの社員情報が社員ＩＤと共に登録されている（社員情報テーブル）。社員情報の登録は、企業側の管理者（社員）端末１６により行われる。この社員情報テーブルは、安否情報収集サーバ１３を介して社員安否情報管理サーバ１１から位置情報収集サーバ１２に送信される。
【００２１】
また、社員安否情報管理サーバ１１の内部の記憶手段には、受信した社員安否情報テーブル（後に詳述）に基づいて社員安否情報表示画面を生成するプログラムが保存されており、社員安否情報管理サーバ１１はこのプログラムに従い社員安否情報表示画面を生成する。
【００２２】
位置情報収集サーバ１２は、携帯端末キャリア内に設けられ、携帯端末２１、２２、２３、２４、２５と通信された基地局の位置から特定される範囲を携帯端末２１、２２、２３、２４、２５の位置情報として取得する。
【００２３】
また、位置情報収集サーバ１２は、内部の記憶手段に記録されたプログラムに従い、携帯端末２１〜２５の位置情報を対応する位置情報を社員情報テーブルに追加して、図３に示すような社員携帯端末情報テーブルを生成し、内部の記録手段（図示せず）に登録する。
【００２４】
位置情報収集サーバ１２は、位置情報の取得、記録等を定期的に行う。なお、携帯端末２１、２２、２３、２４、２５の位置情報を取得する方法はすでに公知であるため、詳細な説明を省略する。
【００２５】
また、位置情報収集サーバ１２は、内部の記憶手段に記録されたプログラムに従い、社員携帯端末情報テーブルに記憶された携帯端末２１、２２、２３、２４、２５の位置情報と、気象庁サーバ１４から入力された被災地域の情報とに基づいて被災地域内にある携帯端末を特定し、図４に示すような被災社員情報テーブルを生成する。位置情報収集サーバ１２は、被災社員情報テーブルを安否情報収集サーバ１３に出力する。
【００２６】
安否情報収集サーバ１３は、携帯端末キャリア内に設けられ、内部の記憶手段（図示せず）に記録されたプログラムに従い、被災社員情報テーブルに登録された携帯端末（被災地域内にある携帯端末）へ安否確認アプリケーションの起動指示を配信する。
【００２７】
安否情報収集サーバ１３は、内部の記憶手段に記録されたプログラムに従い、生存、ケガ、メッセージの欄は「不明」、最終応答時間、ステータスの欄は「応答なし」という情報を被災社員情報テーブル（図４参照）に追加して社員安否情報テーブルを生成する。これが社員安否情報テーブルの初期状態である。
【００２８】
また、安否情報収集サーバ１３は、安否情報が受信されると、内部の記憶手段に記録されたプログラムに従い、受信された安否情報を社員安否情報テーブルに追加し、図５に示すように、社員安否情報テーブルを更新する。
【００２９】
気象庁サーバ１４は、災害が発生すると、災害の発生時刻、程度、被災地域等の情報を位置情報収集サーバ１２へ送信する。
【００３０】
携帯端末２１、２２、２３、２４、２５は、安否情報収集サービスの提供を受ける企業の社員が所有する携帯機器であり、例えば携帯電話を用いることができる。携帯端末２１、２２、２３、２４、２５の構成は同一であるため、携帯端末２１を例に説明する。
【００３１】
携帯端末２１は、図６に示すように、主として記憶部２１ａと、制御部２１ｂと、入力受付部２１ｃと、表示部２１ｄと、通信部２１ｅとで構成される。
【００３２】
記憶部２１ａは、制御プログラム及び制御に必要な各種データ等が格納されている。また、記憶部２１ａには安否確認アプリケーション専用の記憶領域があり、その中にはあらかじめ安否確認アプリケーションが記憶されている。安否確認アプリケーションは、主として、安否情報入力画面を表示させるプログラムと、安否情報入力画面への入力を受け付けるプログラムと、安否情報入力画面への入力以外の機能を制限するプログラムとで構成される。
【００３３】
制御部２１ｂは、所定の制御プログラムに従って携帯端末２１の全体を統括制御する。また、制御部２１ｂは、制御部２１ｂの演算作業用領域として利用するメモリ領域を有する。制御部２１ｂは、安否確認アプリケーションの起動指示が通信部２１ｅから入力されると、記憶部２１ａに記憶された安否確認アプリケーションを起動する。
【００３４】
入力受付部２１ｃは、携帯端末２１のテンキー等の各種ボタンへの入力が行われると、これを検出し、どのボタンへの入力が行われたかを判断し、判断結果を制御部２１ｂへ出力する。
【００３５】
表示部２１ｄは、例えばカラー表示が可能な液晶ディスプレイで構成されている。表示部２１ｄは、安否情報入力画面が表示されると共に、各種設定操作を行なう際のユーザインターフェース（ＧＵＩ）表示パネルとして利用される。
【００３６】
通信部２１ｅは、安否情報収集サーバ１３から配信された安否確認アプリケーションの起動指示を受信し、制御部２１ｂへ出力する。また、通信部２１ｅは、安否情報を安否情報収集サーバ１３へ送信する。
【００３７】
このように構成された安否確認システム１の作用について説明する。図７、８は、安否確認システム１の処理の流れを示すフローチャートであり、図７は災害非発生時の処理の流れを示し、図８は災害発生時の処理の流れを示す。
【００３８】
まず、図７に基づいて災害非発生時の処理の流れについて説明する。
【００３９】
企業側の管理者は、管理者（社員）端末１６から各社員の携帯端末情報、携帯端末番号、名前などの社員情報を社員安否情報管理サーバ１１に入力する（ステップＳ１１）。社員安否情報管理サーバ１１は、各社員毎の社員ＩＤと、社員の名前と、社員の所有する携帯端末情報、電話番号を関連付けた社員情報テーブル（図２参照）を社員安否情報管理サーバ１１内部の記憶手段（図示せず）に記録すると共に、安否情報収集サーバ１３に送信する（ステップＳ１２）。
【００４０】
安否情報収集サーバ１３は、送信された社員情報テーブルを受信し、安否情報収集サーバ１３内部の記憶手段（図示せず）に登録すると共に、社員情報テーブルを位置情報収集サーバ１２に送信する（ステップＳ１３）。
【００４１】
携帯端末２１〜２５は位置情報を送信し（ステップＳ１４）、位置情報収集サーバ１２は、ステップＳ１４で送信された位置情報を受信し（ステップＳ１５）、携帯端末２１〜２５の位置情報を社員情報テーブルに追加して、社員携帯端末情報テーブル（図３参照）を生成し、内部の記録手段に登録する（ステップＳ１６）。
【００４２】
次に、図８に基づいて災害発生時の処理について説明する。
【００４３】
地震等の災害が発生すると、気象庁サーバ１４は、災害の内容・発生地域の情報を含む災害情報を位置情報収集サーバ１２へ送信する（ステップＳ２１）。
【００４４】
位置情報収集サーバ１２は、災害の内容・発生地域の情報を含む災害情報を受信する（ステップＳ２２）。そして、位置情報収集サーバ１２は、受信した災害の発生地域の情報と、社員携帯端末情報テーブルの位置情報を比較し、携帯端末が被災地域内に位置しているか否かを各携帯端末毎に判定する（ステップＳ２３）。
【００４５】
位置情報収集サーバ１２は、被災地域内に位置する携帯端末を特定し、被災地域内に位置する携帯端末を所有する社員が被災したと判断し、被災した社員を社員携帯端末情報テーブルから抜き出し、被災社員情報テーブル（図４参照）を生成し、内部の記憶手段に登録する（ステップＳ２４）。なお、本実施の形態では、災害情報を受信した位置情報収集サーバ１２は、社員携帯端末情報テーブルに記憶された位置情報に基づいて被災した社員を特定したが、現在登録されている全ての社員の携帯端末の位置情報を新たに取得し、新たに取得した位置情報に基づいて被災した社員を特定するようにしてもよい。
【００４６】
位置情報収集サーバ１２は、被災社員情報テーブルを安否情報収集サーバ１３へ送信する（ステップＳ２５）。安否情報収集サーバ１３は、被災社員情報テーブルを受信し、初期状態の社員安否情報テーブルを生成し、内部の記憶手段に登録すると共に、初期状態の社員安否情報テーブルを社員安否情報サーバへ送信する（ステップＳ２６）。社員安否情報管理サーバ１１は、ステップＳ２６で位置情報収集サーバ１２から送信された初期状態の社員安否情報テーブルを受信し、内部の記憶手段に記憶する（ステップＳ３４）。
【００４７】
また、安否情報収集サーバ１３は、ステップＳ２６で被災社員情報テーブルを受信すると、被災社員情報テーブルに登録された携帯端末（被災地域内にある携帯端末）へ安否確認アプリケーションの起動指示を配信する（ステップＳ２７）。本実施の形態では、携帯端末２１、２２、２３が被災地域内にあるため、携帯端末２１、２２、２３に対して安否確認アプリケーションの起動指示を配信する。携帯端末２１、２２、２３で行う処理は同じであるため、携帯端末２１を例に説明する。
【００４８】
携帯端末２１の通信部２１ｅは、安否確認アプリケーションの起動指示を受信し、制御部２１ｂに出力する。制御部２１ｂは、記憶部２１ａに記憶された安否確認アプリケーションを起動し（ステップＳ２８）、安否情報入力画面を表示させるプログラムにしたがって、表示部２１ｄに安否情報入力画面のうちの最初の画面である生存確認画面（図９（ａ）参照）を表示する（ステップＳ２９）。
【００４９】
それと共に、制御部２１ｂは、安否情報入力画面への入力以外の機能を制限するプログラムに従い、安否情報入力画面以外への入力以外の機能を制限する。これにより、携帯端末２１は、安否情報入力画面への入力がない限り、画面の切り替えができないように制限され、他の携帯端末の機能が使用できないようになる。これにより、安否情報の入力を確実にし、何も入力がない場合は本人が危険な状態にあると推測可能となる。
【００５０】
制御部２１ｂは、表示部２１ｄに生存確認画面が表示されている状態で、安否情報入力画面への入力を受け付けるプログラムに従い、入力受付部２１ｃを介して「０」ボタンへの入力を受け付ける（ステップＳ３０）と、生存確認画面に対して「０」ボタンが入力されたことを示す情報、すなわち生存情報を通信部２１ｅを介して安否情報収集サーバ１３へ出力する（ステップＳ３１）。
【００５１】
制御部２１ｂは、安否情報入力画面を表示させるプログラムによる全ての安否確認画面の表示が終了したか否かを判断する（ステップＳ３２）。生存確認画面は最終画面ではない（ステップＳ３２でＮＯ）ためステップＳ２９に戻り、制御部２１ｂは、次の安否確認画面であるケガの有無を確認する画面（図９（ｂ）参照）を表示部２１ｄに表示する（ステップＳ２９）。
【００５２】
制御部２１ｂは、表示部２１ｄにケガの有無を確認する画面が表示されている状態で、安否情報入力画面への入力を受け付けるプログラムに従い、入力受付部２１ｃを介して「０」、「１」、「２」のいずれかのボタンへの入力を受け付ける（ステップＳ３０）。
【００５３】
ケガの有無を確認する画面に対して「０」ボタンが入力された場合には、制御部２１ｂは、ケガが無いことを示す情報を通信部２１ｅを介して安否情報収集サーバ１３へ出力し、ケガの有無を確認する画面に対して「１」ボタンが入力された場合には、制御部２１ｂは、軽傷であることを示す情報を通信部２１ｅを介して安否情報収集サーバ１３へ出力し、ケガの有無を確認する画面に対して「２」ボタンが入力された場合には、制御部２１ｂは、重傷であることを示す情報を通信部２１ｅを介して安否情報収集サーバ１３へ出力する（ステップＳ３１）。
【００５４】
制御部２１ｂは、安否情報入力画面を表示させるプログラムによる全ての安否確認画面の表示が終了したか否かを判断する（ステップＳ３２）。ケガの有無を確認する画面は最終画面ではない（ステップＳ３２でＮＯ）ためステップＳ２９に戻り、制御部２１ｂは、次の安否確認画面であるメッセージ入力画面（図９（ｃ）参照）を表示部２１ｄに表示する（ステップＳ２９）。
【００５５】
制御部２１ｂは、表示部２１ｄにメッセージ入力画面が表示されている状態で、安否情報入力画面への入力を受け付けるプログラムに従い、入力受付部２１ｃを介してメッセージの入力を受け付ける（ステップＳ３０）。
【００５６】
ユーザが携帯端末２１の十字キーを操作すること等によりメッセージボックスが選択され、ユーザがテンキー等を操作することによりメッセージボックスにメッセージが入力された後で「０」ボタンが入力された場合は、制御部２１ｂは、入力されたメッセージを通信部２１ｅを介して安否情報収集サーバ１３へ出力し、メッセージ入力画面に対して「１」ボタンが入力された場合には、制御部２１ｂは、メッセージは無いことを示す情報を通信部２１ｅを介して安否情報収集サーバ１３へ出力し、メッセージ入力画面に対して「２」ボタンが入力された場合には、制御部２１ｂは、メッセージが入力不可能な状態であることを示す情報を通信部２１ｅを介して安否情報収集サーバ１３へ出力する（ステップＳ３１）。
【００５７】
制御部２１ｂは、安否情報入力画面を表示させるプログラムによる全ての安否確認画面の表示が終了したか否かを判断する（ステップＳ３２）。メッセージ入力画面は最終画面である（ステップＳ３２でＹＥＳ）ため、制御部２１ｂは、安否情報入力画面を表示させるプログラムに従い、表示部２１ｄに終了画面を１０秒だけ表示させると共に、安否確認アプリケーションを終了する。これにより、携帯端末２１の機能制限がはずれ、全ての機能が使用可能となる。
【００５８】
安否情報収集サーバ１３は、ステップＳ３１で携帯端末２１から送信された安否情報を受信し、ステップＳ２６で受信した社員安否情報テーブルの対応する社員の情報に関連付けて受信した安否情報を追加して、図５に示すような社員安否情報テーブルを生成し、社員安否情報管理サーバ１１へ送信する（ステップＳ３５）。ステップＳ３５の処理は、携帯端末からの安否情報の送信（ステップＳ３１）毎に行われる。
【００５９】
社員安否情報管理サーバ１１は、ステップＳ３５で送信された社員安否情報テーブルを受信し、内部の記憶手段に記憶する。また、社員安否情報管理サーバ１１は、管理者（社員）端末１６等から社員安否情報管理サーバ１１へのアクセスに応じて、社員安否情報テーブルを含む表示画面である社員安否情報表示画面を管理者（社員）端末１６に出力する（ステップＳ３６）。
【００６０】
図１０は、社員安否情報表示画面の一例である。社員安否情報表示画面には、被災した社員の情報（社員ＩＤ、氏名、携帯端末番号等）、安否情報（生存情報、重傷であることを示す情報、ケガの有無に関する情報（ケガが無いことを示す情報、軽傷であることを示す情報、重傷であることを示す情報）、メッセージの有無等）、被災した社員の携帯端末から安否情報が最後に入力された時間である最終応答時間、全ての安否確認画面の表示が終了したか否かに関する情報であるステータス等が一覧表の形式で表示される。
【００６１】
携帯端末からメッセージと「０」ボタンとの入力があった場合には、社員安否情報管理サーバ１１は、社員安否情報表示画面の対応するメッセージ欄に表示ボタンを生成する。表示ボタンには携帯端末から受信したメッセージへのリンクが張られており、管理者（社員）端末１６の入力手段等により表示ボタンが押されると、リンクされたメッセージの内容が社員安否情報表示画面とは別画面で表示される。
【００６２】
社員安否情報管理サーバ１１は、現在位置の欄に表示ボタンが生成する。管理者（社員）端末１６の入力手段等により表示ボタンが押されると、現在取得している携帯端末の位置情報が社員安否情報表示画面とは別画面で表示される。ステータスの項目は、その時点における安否情報の入力状況を示している。
【００６３】
社員安否情報管理サーバ１１は、安否情報収集サーバ１３から社員安否情報テーブルが送信される度に社員安否情報テーブルを更新するため、社員安否情報表示画面には、被災地域内にいる社員の携帯端末から送信された安否情報がリアルタイムで表示される。
【００６４】
これにより、管理者（社員）端末１６等の表示手段に各社員の安否情報をリアルタイムで表示することができる。したがって、企業側の管理者（社員）は、各社員の安否を確認することができる。
【００６５】
本実施の形態によれば、携帯端末にアプリケーションが記憶されており、このアプリケーションにより携帯端末を制御するため、安否情報入力画面が表示されている場合には、安否入力画面への入力以外の機能を制限することができる。これにより、携帯端末からの安否情報の入力を確実にすることができる。したがって、携帯端末から何も入力がない場合は、本人が危険な状態にあると推測可能となる。
【００６６】
なお、本実施の形態では、気象庁サーバ１４からの災害情報の入力をトリガーとして災害発生時の処理（図８参照）を行ったが、トリガーとなる災害情報の入力は気象庁サーバ１４に限定されない。また、トリガーは、気象庁サーバ１４からの災害情報の入力に限らず、管理者（社員）端末１６から社員安否情報管理サーバ１１を介して入力される指示等をトリガーとすることもできる。
【００６７】
本発明は、社員安否情報管理サーバ１１、位置情報収集サーバ１２、安否情報収集サーバ１３、気象庁サーバ１４、携帯端末２１、２２、２３、２４、２５等の装置を備えた安否確認システムに限らず、社員安否情報管理サーバ１１等の装置単独での提供も可能である。また、装置やシステムに限らず、装置やシステムに適用するプログラムとして提供することもできる。
【符号の説明】
【００６８】
１、２、３：安否確認システム、１１：社員安否情報管理サーバ、１２：位置情報収集サーバ、１３：安否情報収集サーバ、１４：気象庁サーバ、１５：ネットワーク、１６：管理者（社員）端末、２０、２１、２２、２３、２４、２５：携帯端末
【図１】
2010213085.tif 000003
【図２】
2010213085.tif 000004
【図３】
2010213085.tif 000005
【図４】
2010213085.tif 000006
【図５】
2010213085.tif 000007
【図６】
2010213085.tif 000008
【図７】
2010213085.tif 000009
【図８】
2010213085.tif 000010
【図９】
2010213085.tif 000011
【図１０】
2010213085.tif 000012